(57)【要約】【課題】表面が冷たくなく、耐食性にも優れた物干し台を提供する。【解決手段】支柱とこの支柱の下部に設けられた脚部とこの支柱の適宜位置に設けられた物干し部とからなる物干し台において、支柱は金属管の表面に合成樹脂層が設けられた合成樹脂被覆金属管からなり、この合成樹脂被覆金属管を構成する合成樹脂層が微小雲母片が混練された合成樹脂からなるもので、微小雲母片が鱗片状の形態のため、成型時の樹脂の流れに配向され、鱗片状の微小雲母片の平坦面が鋼管の表面を覆うように配設され、合成樹脂層のガス透過性や水蒸気透過性を抑制する効果が得られる。合成樹脂層に微小雲母片が混入されることにより、合成樹脂層は視覚的にも深みや立体感のある外観を呈し、恰も真珠の如き深みのある優雅な外観を呈する。【選択図】　　　　図１
2004141509.tif 000002
【特許請求の範囲】
【請求項１】
支柱とこの支柱の下部に設けられた脚部とこの支柱の適宜位置に設けられた物干し部とからなる物干し台において、支柱は金属管の表面に合成樹脂層が設けられた合成樹脂被覆金属管からなり、この合成樹脂被覆金属管を構成する合成樹脂層が微小雲母片が混練された合成樹脂からなることを特徴とする物干し台。
【請求項２】
支柱と脚部及び／又は支柱と物干し部が合成樹脂成型品からなる接続部で接続され、この合成樹脂成型品が微小雲母片が混練された合成樹脂からなることを特徴とする請求項１記載の物干し台。
【発明の詳細な説明】
【０００１】
【発明の属する技術分野】
本発明は、屋内や屋外で洗濯物を干すために使用される物干し台に関する。
【０００２】
【従来の技術】
従来、下端に支持脚が設けられた支柱に物干し部が設けられた物干し台として、本出願人は、特開２００２−１８１９４号公報に２本の支柱の上部が上部連結杆により連結され、２本の支柱に物干し具と物干し竿を支持する支持腕が取り付けられてなる物干し台において、支柱の下端部に摺動可能に支持脚が設けられ、前記支持腕の基部が支柱を中心に回動可能に取り付けられたことを特徴とする物干し台を提案している。この物干し台においては、支柱と支持脚は、ステンレス鋼管などの金属管、或いは合成樹脂被覆鋼管からなり、支柱と支持脚、支柱と支持腕は合成樹脂から成型された取付具により連結されている。
【０００３】
【発明が解決しようとする課題】
しかしながら上記の如き支柱と支持脚がステンレス鋼管からなる物干し台に於いては、ステンレス鋼が錆びにくく耐触性に優れるというものの、表面の金属質が夏には熱く、冬には冷たく感じられるという問題があった。又、支柱と支持脚が合成樹脂被覆鋼管からなる物干し台に於いては、表面の合成樹脂層に暖かみがあるものの、ステンレス鋼管製に比べると耐触性が劣るという問題があった。
【０００４】
そこで本発明者は従来の欠点に鑑み鋭意研究の結果、表面が冷たくなく、耐食性にも優れた物干し台を提供する。
【０００５】
【課題を解決するための手段】
本発明請求項１記載の物干し台は、支柱とこの支柱の下部に設けられた脚部とこの支柱の適宜位置に設けられた物干し部とからなる物干し台において、支柱は金属管の表面に合成樹脂層が設けられた合成樹脂被覆金属管からなり、この合成樹脂被覆金属管を構成する合成樹脂層が微小雲母片が混練された合成樹脂からなるもので、微小雲母片が鱗片状の形態のため、成型時の樹脂の流れに配向され、鱗片状の微小雲母片の平坦面が鋼管の表面を覆うように配設され、合成樹脂層のガス透過性や水蒸気透過性を抑制する効果が得られる。合成樹脂層に微小雲母片が混入されることにより、合成樹脂層は視覚的にも深みや立体感のある外観を呈し、恰も真珠の如き深みのある優雅な外観を呈する。
【０００６】
本発明請求項２記載の物干し台は、支柱と脚部及び／又は支柱と物干し部が合成樹脂成型品からなる接続部で接続され、この合成樹脂成型品が微小雲母片が混練された合成樹脂からなるもので、この合成樹脂成型品が微小雲母片が混練された合成樹脂からなるので、微小雲母片が鱗片状の形態のため、成型時の樹脂の流れに配向され、鱗片状の微小雲母片の平坦面が鋼管の表面を覆うように配設され、合成樹脂層のガス透過性や水蒸気透過性を抑制する効果が得られる。合成樹脂層に微小雲母片が混入されることにより、合成樹脂層は視覚的にも深みや立体感のある外観を呈し、恰も真珠の如き深みのある優雅な外観を呈する。
【０００７】
【発明の実施の形態】
以下、図面を参照しながら本発明に付いて説明する。
図１は本発明物干し台の実施形態の一例を示す斜視図であり、図２は図１の詳細を示す要部の拡大図である。図に於いて、１は支柱であり、下端には支持脚２が設けられている。支柱１の上端には上部竿受け３が設けられて物干し部となされている。左右の支柱１は中央部で連結杆４を介して連結されている。支柱１と支持脚２は合成樹脂成型品からなる接続部５で接続されている。
【０００８】
支柱１と連結杆４は鋼管の表面に合成樹脂層が設けられた合成樹脂被覆鋼管からなり、この合成樹脂層には微小雲母片及び顔料が混練されている。鋼管の表面に微小雲母片が混練された合成樹脂層を形成するには、原料となる合成樹脂に微小雲母片を混練し、この合成樹脂を鋼管の表面に押し出し被覆する方法が採られる。この方法により微小雲母片が混練する合成樹脂層は、合成樹脂層内に配設された微小雲母片が鱗片状であるため、成型時の樹脂の流れに配向され、鱗片状の微小雲母片の平坦面が鋼管の表面を覆うように配設され、合成樹脂層のガス透過性や水蒸気透過性を抑制する効果が得られる。合成樹脂層に微小雲母片が混入されることにより、合成樹脂層は視覚的にも深みや立体感のある外観を呈し、恰も真珠の如き深みのある優雅な外観を呈する。
【０００９】
支柱１と連結杆４、支柱１と支持脚２を連結する合成樹脂成型品からなる接続部５は、支柱１や連結杆４との視覚的な一体感を持たせるために、支柱１や連結杆４の合成樹脂層と同様に、微小雲母片が混練された合成樹脂から作製される方が好ましい。接続部５が微小雲母片が混練された合成樹脂から作製されれば、合成樹脂成型品の表面に沿って微小雲母片の平坦面が配設され、合成樹脂成型品の表面を補強するとともに、視覚的にも深みや立体感のある外観を呈し、恰も真珠の如き深みのある優雅な外観を呈する。
【００１０】
本発明における微小雲母片とは、天然鉱物である雲母を基材するものであるが、この微小雲母片の表面に二酸化チタンや酸化鉄などの金属酸化物の薄層が形成されている方が、雲母が変質しにくく好適である。この金属酸化物としては、活性が少ないためにルチル型二酸化チタンが特に好適に用いられる。
【００１１】
次に本発明物干し台の実施形態の他の例を示す。図３は本発明物干し台の実施形態の他の例を示す斜視図であり、図４は図３の詳細を示す要部の拡大図である。図に於いて、１は支柱であり、Ｘ形に中央で回動可能に連結されている。支柱１の上端と中央は連結杆４を介して連結されている。支柱１と連結杆４は合成樹脂成型品からなる接続部５で接続されている。
【００１２】
【発明の効果】
上述の如く本発明請求項１記載の物干し台は、支柱とこの支柱の下部に設けられた脚部とこの支柱の適宜位置に設けられた物干し部とからなる物干し台において、支柱は金属管の表面に合成樹脂層が設けられた合成樹脂被覆金属管からなり、この合成樹脂被覆金属管を構成する合成樹脂層が微小雲母片が混練された合成樹脂からなるもので、微小雲母片が鱗片状の形態のため、成型時の樹脂の流れに配向され、鱗片状の微小雲母片の平坦面が鋼管の表面を覆うように配設され、合成樹脂層のガス透過性や水蒸気透過性を抑制する効果が得られる。合成樹脂層に微小雲母片が混入されることにより、合成樹脂層は視覚的にも深みや立体感のある外観を呈し、恰も真珠の如き深みのある優雅な外観を呈する。、
【００１３】
又、本発明請求項２記載の物干し台は、支柱と脚部及び／又は支柱と物干し部が合成樹脂成型品からなる接続部で接続され、この合成樹脂成型品が微小雲母片が混練された合成樹脂からなるもので、この合成樹脂成型品が微小雲母片が混練された合成樹脂からなるので、微小雲母片が鱗片状の形態のため、成型時の樹脂の流れに配向され、鱗片状の微小雲母片の平坦面が鋼管の表面を覆うように配設され、合成樹脂層のガス透過性や水蒸気透過性を抑制する効果が得られる。合成樹脂層に微小雲母片が混入されることにより、合成樹脂層は視覚的にも深みや立体感のある外観を呈し、恰も真珠の如き深みのある優雅な外観を呈する。
【図面の簡単な説明】
【図１】本発明物干し台の実施形態の一例を示す斜視図である。
【図２】図１の詳細を示す要部の拡大図である。
【図３】本発明物干し台の実施形態の他の例を示す斜視図である。
【図４】図３の詳細を示す要部の拡大図である。
【符号の説明】
１　　支柱
２　　支持脚
３　　上部竿受け
４　　連結杆
５　　接続部
【図１】
2004141509.tif 000003
【図２】
2004141509.tif 000004
【図３】
2004141509.tif 000005
【図４】
2004141509.tif 000006